(57)【要約】      （修正有）【課題】システムキッチンや洗面台などの収納スペースを確保し、簡潔構造でシステムキッチンや洗面台などを昇降可能にする昇降ユニットを提供する。【解決手段】昇降ユニット２０は、上側が開口した下側ケース３１ｂと、下側が開口し下側ケース３１ｂに上下方向にスライド可能に取付けられる上側ケース３１ａと、下側ケース３１ｂと上側ケース３１ａとの間に取付けられるリンク機構４０Ａ，４０Ｂと、下側ケース３１ｂに取付けられる巻取ローラ５３に一端が固定され、リンク機構４０Ａ，４０Ｂの連結部につなげられるベルト５９ａ，５９ｂとを備え、ベルト５９ａ，５９ｂが巻取りローラ５３により巻取られるとき、上側ケース３１ａを上昇させる。【選択図】図２
2008012242.tif 000002
【特許請求の範囲】
【請求項１】
上側が開口した下側ケースと、下側が開口し前記下側ケースに上下方向にスライド可能に取付けられ上方に箱体が設置される上側ケースと、前記下側ケースと前記上側ケースとの間に取付けられるリンク機構と、前記下側ケースに取付けられる巻取ローラに一端が固定され、前記リンク機構の連結部につなげられるベルトまたはワイヤとを備え、前記ベルトまたはワイヤが前記巻取りローラにより巻取られるとき、前記リンク機構により前記上側ケースを上昇させることを特徴とする昇降ユニット。
【請求項２】
前記リンク機構は、前記下側ケースの内側に互いに向合って取り付けられ、前記巻取ローラに一端が固定される一方の前記ベルトまたはワイヤは、一方の前記リンク機構の連結部につなげられ、前記巻取ローラに一端が固定される他方の前記ベルトまたはワイヤは、他方の前記リンク機構の連結部につなげられることを特徴とする請求項１に記載の昇降ユニット。
【請求項３】
前記ベルトまたはワイヤは、前記巻取ローラに一端が固定されてから、前記下側ケースの内側側面に取付けられるガイドローラと、前記リンク機構の連結部に取付けられるガイドローラとに掛けられ、前記下側ケースの内側側面に固定されることを特徴とする請求項１または請求２に記載の昇降ユニット。
【請求項４】
上側が開口した下側ケースと、下側が開口し前記下側ケースに上下方向にスライド可能に取付けられ上方に箱体が設置される上側ケースと、前記下側ケースに固定された駆動モータにより回動する巻取ローラと、一方の端部が前記巻取ローラに固定され、他方の端部が前記下側ケースの上側の一方の側面側に取付けられるガイドローラに掛けられ、前記上側ケースの下側の一方の内側に固定される一方のベルトまたはワイヤと、一方の端部が前記巻取ローラに固定され、他方の端部が前記下側ケースの上側の他方の側面側に取付けられるガイドローラに掛けられ、前記上側ケースの下側の他方の内側に固定される他方のベルトまたはワイヤとを備え、前記ベルトまたはワイヤが前記巻取りローラにより巻取られるとき、前記上側ケースを上昇させることを特徴とする昇降ユニット。
【発明の詳細な説明】
【技術分野】
【０００１】  本発明は、システムキッチンや洗面台などの収納スペースを確保し、簡潔構造でシステムキッチンや洗面台などを昇降可能にする昇降ユニットに関する。
【背景技術】
【０００２】  従来のシステムキッチンや洗面台などには、垂直方向に設置したねじ棒をモータ駆動により回転させシステムキッチンや洗面台などの上部をキャビネット本体に対し昇降可能にする昇降装置が設置されているものがある（例えば、特許文献１参照）。【０００３】
【特許文献１】  特開平１１−７６０８０号公報
【発明の開示】
【発明が解決しようとする課題】
【０００４】  しかしながら、従来のシステムキッチンや洗面台などに使用される昇降装置は、システムキッチンや洗面台などの上部をキャビネット本体に対しスライド可能とし、垂直方向に設置したねじ棒をモータ駆動により回転させ上部を昇降するため、システムキッチンや洗面台などの構成を複雑とするとともに、昇降装置も機構が複雑であった。さらに、昇降装置は、キャビネット本体の内部に設置されるため、キャビネット本体の収納スペースが縮小されるおそれがあった。
本発明は、上記の問題に鑑みてなされたものであって、システムキッチンや洗面台などの収納スペースを確保し、簡潔構造でシステムキッチンや洗面台などを昇降可能にする昇降ユニットを提供することを目的とする。
【課題を解決するための手段】
【０００５】  本発明の昇降ユニットは、上側が開口した下側ケースと、下側が開口し前記下側ケースに上下方向にスライド可能に取付けられ上方に箱体が設置される上側ケースと、前記下側ケースと前記上側ケースとの間に取付けられるリンク機構と、前記下側ケースに取付けられる巻取ローラに一端が固定され、前記リンク機構の連結部につなげられるベルトまたはワイヤとを備え、前記ベルトまたはワイヤが前記巻取りローラにより巻取られるとき、前記リンク機構により前記上側ケースを上昇させることとした。
また、前記リンク機構は、前記下側ケースの内側に互いに向合って取り付けられ、前記巻取ローラに一端が固定される一方の前記ベルトまたはワイヤは、一方の前記リンク機構の連結部につなげられ、前記巻取ローラに一端が固定される他方の前記ベルトまたはワイヤは、他方の前記リンク機構の連結部につなげられることとした。
また、前記ベルトまたはワイヤは、前記巻取ローラに一端が固定されてから、前記下側ケースの内側側面に取付けられるガイドローラと、前記リンク機構の連結部に取付けられるガイドローラとに掛けられ、前記下側ケースの内側側面に固定されることとした。
さらに、本発明の昇降ユニットは、上側が開口した下側ケースと、下側が開口し前記下側ケースに上下方向にスライド可能に取付けられ上方に箱体が設置される上側ケースと、前記下側ケースに固定された駆動モータにより回動する巻取ローラと、一方の端部が前記巻取ローラに固定され、他方の端部が前記下側ケースの上側の一方の側面側に取付けられるガイドローラに掛けられ、前記上側ケースの下側の一方の内側に固定される一方のベルトまたはワイヤと、一方の端部が前記巻取ローラに固定され、他方の端部が前記下側ケースの上側の他方の側面側に取付けられるガイドローラに掛けられ、前記上側ケースの下側の他方の内側に固定される他方のベルトまたはワイヤとを備え、前記ベルトまたはワイヤが前記巻取りローラにより巻取られるとき、前記上側ケースを上昇させることとした。
【発明の効果】
【０００６】  本発明の昇降ユニットは、上側が開口した下側ケースと、下側が開口し前記下側ケースに上下方向にスライド可能に取付けられ上方に箱体が設置される上側ケースと、前記下側ケースと前記上側ケースとの間に取付けられるリンク機構と、前記下側ケースに取付けられる巻取ローラに一端が固定され、前記リンク機構の連結部につなげられるベルトまたはワイヤとを備え、前記ベルトまたはワイヤが前記巻取りローラにより巻取られるとき、前記リンク機構により前記上側ケースを上昇させることとしたため、上側に設置されるシステムキッチンや洗面台などの箱体の収納スペースを確保し、簡潔構造でシステムキッチンや洗面台などの箱体を所望の高さに昇降可能に容易にすることができ、また、既存のシステムキッチンや洗面台などの箱体を使用することができ、全体コストを安価にすることもできる。
また、前記リンク機構は、前記下側ケースの内側に互いに向合って取り付けられ、前記巻取ローラに一端が固定される一方の前記ベルトまたはワイヤは、一方の前記リンク機構の連結部につなげられ、前記巻取ローラに一端が固定される他方の前記ベルトまたはワイヤは、他方の前記リンク機構の連結部につなげられることとしたため、簡潔構造でより確実円滑にシステムキッチンや洗面台などの箱体を所望の高さに昇降可能にすることができる。
また、前記ベルトまたはワイヤは、前記巻取ローラに一端が固定されてから、前記下側ケースの内側側面に取付けられるガイドローラと、前記リンク機構の連結部に取付けられるガイドローラとに掛けられ、前記下側ケースの内側側面に固定されることとしたため、簡潔構造でより効率的にシステムキッチンや洗面台などの箱体を所望の高さに昇降可能にすることができる。
さらに、本発明の昇降ユニットは、上側が開口した下側ケースと、下側が開口し前記下側ケースに上下方向にスライド可能に取付けられ上方に箱体が設置される上側ケースと、前記下側ケースに固定された駆動モータにより回動する巻取ローラと、一方の端部が前記巻取ローラに固定され、他方の端部が前記下側ケースの上側の一方の側面側に取付けられるガイドローラに掛けられ、前記上側ケースの下側の一方の内側に固定される一方のベルトまたはワイヤと、一方の端部が前記巻取ローラに固定され、他方の端部が前記下側ケースの上側の他方の側面側に取付けられるガイドローラに掛けられ、前記上側ケースの下側の他方の内側に固定される他方のベルトまたはワイヤとを備え、前記ベルトまたはワイヤが前記巻取りローラにより巻取られるとき、前記上側ケースを上昇させることとしたため、上側に設置されるシステムキッチンや洗面台などの箱体の収納スペースを確保し、簡潔構造でシステムキッチンや洗面台などの箱体を所望の高さに昇降可能に容易にすることができ、また、既存のシステムキッチンや洗面台などの箱体を使用することができ、全体コストを安価にすることもできる。
【発明を実施するための最良の形態】
【０００７】  以下、本発明の実施の形態の昇降ユニットにつき説明する。
【実施例１】
【０００８】  図１は、本発明の実施の形態の昇降ユニットがシステムキッチンに取付けられたときの斜視図を示す。
図１に示すように、本発明の実施の形態の昇降ユニット２０は、システムキッチン１０の下側に装着されている。システムキッチン１０は、周辺に水栓１２が取付けられ食器を洗うシンク１３と、料理用の加熱器１４とが上部１１に取付けられ、前面側には、内部に物を収納するための開口扉１６が設けられている。
本発明の実施の形態の昇降ユニット２０は、システムキッチン１０を矢印Ｈに示すように昇降することができる。【０００９】  図２は、本発明の実施の形態の昇降ユニットの側面開口図を示す。
図２に示すように、本発明の実施の形態の昇降ユニット２０は、上側が開口した下側ケース３１ｂと、下側が開口し下側ケース３１ｂにスライド可能に取付けられる上側ケース３１ａとで覆われ、下側ケース３１ｂと上側ケース３１ａとの間に取付けられ上側ケース３１ａを昇降するリンク機構４０Ａ、４０Ｂと、リンク機構４０Ａ、４０Ｂを昇降駆動する昇降駆動部５０とで構成されている。
リンク機構４０Ａは、下側ケース３１ｂと上側ケース３１ａとの間の前側に取付けられ、リンク機構４０Ｂは、下側ケース３１ｂと上側ケース３１ａとの間の後側にリンク機構４０Ａと互いに向合い取付けられている。リンク機構４０Ａは、上側のリンクバー４１の一方の端部がピン４３ａにより回転自在に取付けブラケット４３に取付けられ、下側のリンクバー４５の一方の端部がピン４４ａにより回転自在に取付けブラケット４４に取付けられ、リンクバー４１の他方の端部とリンクバー４５の他方の端部とが互いにピン５５ａにより回転自在に取付けられている。リンク機構４０Ｂもリンク機構４０Ａと同様に構成されている。
昇降駆動部５０は、ブラケット５１に駆動モータ５２ａが固定されるとともにギヤ５２ｂ、５２ｃとが取付けられている。駆動モータ５２ａには互いに噛合ったギヤ５２ｂ、５２ｃが連結し、ギヤ５２ｃのシャフト５３ａには巻取ローラ５３が固定され、駆動モータ５２ａにより巻取ローラ５３を回動することができる。
巻取ローラ５３には一方のベルト５９ａの端部が固定され、ベルト５９ａは、下側のリンクバー４５の中を通りリンク機構４０Ａ側のブラケット５７にピン５４ａにより取付けられたガイドローラ５４と、同じくリンク機構４０Ａ側のピン５５ａに取付けられたガイドローラ５５とに掛けられ、上側のリンクバー４１の中を通り他端がリンク機構４０Ａ側のブラケット５７に固定されたピン５６に固定されている。また、巻取ローラ５３は、他方のベルト５９ｂの端部が固定され、ベルト５９ｂは、ベルト５９ａと同様にリンク機構４０Ｂ側のガイドローラ５４とガイドローラ５５とに掛けられ、他端がリンク機構４０Ｂ側のピン５６に固定されている。【００１０】  図３は、本発明の実施の形態の昇降ユニットに取付けられるリンク機構の分解斜視図を示す。
図３に示すように、本発明の実施の形態の昇降ユニットに取付けられるリンク機構４０Ａは、上側のリンクバー４１と下側のリンクバー４５とで構成されている。上側のリンクバー４１は、側面板４２ａ、４２ｂと、上面板４２ｃとで断面コの字形に形成されている。下側のリンクバー４５は、側面板４６ａ、４６ｂと、短形の上面板４６ｃとで断面コの字形に形成され、ベルト５９ａ（図２参照）が貫通する開口部４５ｃが形成され、下側のリンクバー４５の側面板４６ａ、４６ｂの間隔は、上側のリンクバー４１の側面板４２ａ、４２ｂの間隔より狭く設定されている。
上側のリンクバー４１と下側のリンクバー４５とは、端部側でピン５５ａが矢印Ｓに示すように穴部４５ａ、４５ｂ、４１ａ、４１ｂに通され、ピン５５ａにより互いに回転自在に取付けられている。
ベルト５９ａは、下側のリンクバー４５の中と開口部４６ｃとを通り、また、上側のリンクバー４１の中を通るため、下側のリンクバー４５と上側のリンクバー４１とは干渉することはない。
リンク機構４０Ｂについてもリンク機構４０Ａと同様に構成されている。【００１１】  図４は、本発明の実施の形態の昇降ユニットが上昇作動したときの側面図を示す。
図４に示すように、本発明の実施の形態の昇降ユニット２０は、駆動モータ５２ａが正転作動し矢印Ｕに示すように巻取ローラ５３を回動させると、リンク機構４０Ａ側のベルト５９ａと、リンク機構４０Ｂ側のベルト５９ｂが巻取られる。ベルト５９ａが巻取られると、ベルト５９ａが掛けられたガイドローラ５５が矢印Ｌに示すように水平方向に移動し、上側のリンクバー４１と下側のリンクバー４５とは垂直方向に回動しピン４３ａが上昇する。ベルト５９ａの巻取とともに、ベルト５９ｂも巻取られ、ベルト５９ｂが掛けられたリンク機構４０Ｂ側のガイドローラ５５も矢印Ｒに示すように水平方向に移動し、リンク機構４０Ｂ側の上側のリンクバー４１と下側のリンクバー４５とは垂直方向に回動しリンク機構４０Ｂ側のピン４３ａも上昇する。
駆動モータ５２ａの正転作動により、リンク機構４０Ａ側のピン４３ａと、リンク機構４０Ｂ側のピン４３ａとが上昇すると、下側ケース３１ｂに対し上側ケース３１ａが上昇し昇降ユニット２０の上側に設置されるシステムキッチン１０（図１参照）を上昇させることができる。昇降ユニット２０による上昇作動は、駆動モータ５２ａの作動状況により任意の位置にすることも、予め定めた最上昇の位置にすることもできる。【００１２】  以上述べたように、本発明の実施の形態の昇降ユニット２０は、システムキッチン１０の収納スペースを確保し、簡潔構造でシステムキッチン１０を所望の高さに昇降可能に容易にすることができる。
また、昇降ユニット２０は、システムキッチン１０の下側に設置するため、既存のシステムキッチンを使用することができ、全体コストを安価にすることもできる。
なお、上記の実施例では、昇降ユニット２０は、左右２個のリンク機構を使用する例につき説明したが、上側ケースと下側ケースとの側面間に複数のスライドユニットを設け、リンク機構の使用を１個とすることもできる。
また、上記の実施例では、昇降ユニット２０は、上側のリンクバーと下側のリンクバーとの連結部を互いに内側に向けた左右２個のリンク機構を使用する例につき説明したが、連結部を互いに外側に向けた左右２個のリンク機構とすることもできる。
また、上記の実施例では、昇降ユニット２０は、左右２個のリンク機構を使用する例につき説明したが、リンク機構に限らずパンタグラフ機構の使用とすることもできる。
また、上記の実施例では、昇降ユニット２０は、左右２個のリンク機構を使用する例につき説明したが、左右２個のリンク機構を並列に設け、同一シャフトに２個の巻取ローラを取付けて２列のリンク機構を駆動モータで作動させることもできる。【００１３】  図５は、本発明の他の実施の形態の昇降ユニットの側面開口図を示す。
図５に示すように、本発明の実施の形態の昇降ユニット６０は、上側が開口した下側ケース６１ｂと、下側が開口し下側ケース６１ｂにスライド可能に取付けられる上側ケース６１ａとで覆われ、下側ケース６１ｂと上側ケース６１ａとの間に取付けられ上側ケース６１ａを昇降するベルト式昇降機構８０Ａ、８０Ｂと、ベルト式昇降機構８０Ａ、８０Ｂを駆動する駆動部７０とで構成されている。
昇降駆動部７０は、ブラケット７１に駆動モータ７２ａが固定されるとともにギヤ７２ｂ、７２ｃとが取付けられている。駆動モータ７２ａには互いに噛合ったギヤ７２ｂ、７２ｃが連結し、ギヤ７２ｃのシャフト７３ａには巻取ローラ７３が固定され、駆動モータ７２ａにより巻取ローラ７３を回動することができる。
ベルト式昇降機構８０Ａは、ベルト８９ａが、巻取ローラ７３に一方の端部が固定され、下側ケース６１ｂの下側の一方の側面側にブラケット８１ｂとピン８１ａとにより取付けられるガイドローラ８１と、下側ケース６１ｂの上側の一方の側面側にブラケット８２ｂとピン８２ａとにより取付けられるガイドローラ８２とに掛けられ、上側ケース６１ａの下側の一方の内側にブラケット８３ａにより取付けられたピン８３に他方の端部が固定されている。
ベルト式昇降機構８０Ｂは、ベルト８９ｂが、巻取ローラ７３に一方の端部が固定され、下側ケース６１ｂの下側の他方の側面側にブラケット８４ｂとピン８４ａとにより取付けられるガイドローラ８４と、下側ケース６１ｂの上側の他方の側面側にブラケット８５ｂとピン８５ａとにより取付けられるガイドローラ８５とに掛けられ、上側ケース６１ａの下側の他方の内側にブラケット８６ａにより取付けられたピン８６に他方の端部が固定されている。【００１４】  図６は、本発明の他の実施の形態の昇降ユニットが上昇作動したときの側面図を示す。
図６に示すように、本発明の実施の形態の昇降ユニット６０は、駆動モータ７２ａが正転作動し矢印Ｕに示すように巻取ローラ７３を回動させると、ベルト式昇降機構８０Ａ側のベルト８９ａと、ベルト式昇降機構８０Ｂ側のベルト８９ｂが巻取られる。ベルト８９ａが巻取られることにより、ガイドローラ８１、８２を介しピン８３が垂直方向に移動し、また、ベルト８９ｂが巻取られることにより、ガイドローラ８４、８５を介しピン８６が垂直方向に移動する。
駆動モータ７２ａの正転作動により、ベルト式昇降機構８０Ａ側のピン８３と、ベルト式昇降機構８０Ｂ側のピン８６とが垂直方向に移動すると、下側ケース６１ｂに対し上側ケース６１ａが上昇し昇降ユニット６０の上側に設置されるシステムキッチン１０（図１参照）を上昇させることができる。昇降ユニット６０による上昇作動は、駆動モータ７２ａの作動状況により任意の位置にすることも、予め定めた最上昇の位置にすることもできる。【００１５】  以上述べたように、本発明の他の実施の形態の昇降ユニット６０は、システムキッチン１０の収納スペースを確保し、簡潔構造で効率的にシステムキッチン１０を所望の高さに昇降可能に容易にすることができる。また、昇降ユニット６０は、システムキッチン１０の下側に設置するため、既存のシステムキッチンを使用することができ、全体コストを安価にすることもできる。
なお、上記の実施例では、昇降ユニット６０で使用するベルトは、巻取ローラ７３に端部が固定されガイドローラ８２に掛けられているが、巻取ローラ７３に端部が固定し上側ケース６１ａの上端に設けるガイドローラに掛けてから、ガイドローラ８２に掛け、駆動モータをより効率的に使用することもできる。
また、昇降ユニット６０は、ガイドローラ８１またはガイドローラ８４を取付けず、ガイドローラ８１またはガイドローラ８４の位置に巻取ローラ７３を取付けるようにすることもできる。
さらに、昇降ユニット６０は、ガイドローラ８１、８４を取付けず、巻取ローラ７３からガイドローラ８２とガイドローラ８５とにそれぞれベルトを掛けるようにすることもできる。【００１６】  本発明の実施の形態の昇降ユニットは、箱体のシステムキッチンの下側に装着することとしたが、その他、洗面台などの箱体の下側に装着するもできる。
また、本発明の実施の形態の昇降ユニットは、ベルトを使用することとしたが、ワイヤなども同様に使用することができる。
【図面の簡単な説明】
【００１７】
【図１】  本発明の実施の形態の昇降ユニットがシステムキッチンに取付けられたときの斜視図を示す。
【図２】  本発明の実施の形態の昇降ユニットの側面開口図を示す。
【図３】  本発明の実施の形態の昇降ユニットに取付けられるリンク機構の分解斜視図を示す。
【図４】  本発明の実施の形態の昇降ユニットが上昇作動したときの側面図を示す。
【図５】  本発明の他の実施の形態の昇降ユニットの側面開口図を示す。
【図６】  本発明の他の実施の形態の昇降ユニットが上昇作動したときの側面図を示す。
【符号の説明】
【００１８】  １０  システムキッチン
１１  上部
２０、６０  昇降ユニット
３１ａ、６１ａ  上側ケース
３１ｂ、６１ｂ  下側ケース
４０Ａ、４０Ｂ  リンク機構
４１  上側のリンクバー
４５  下側のリンクバー
５２ａ、７２ａ  駆動モータ
５３、７３  巻取ローラ
５９ａ、５９ｂ、８９ａ、８９ｂ  ベルト
５４、５５、８１、８２、８４、８５  ガイドローラ
５６、８３、８６  ピン
【図１】
2008012242.tif 000003
【図２】
2008012242.tif 000004
【図３】
2008012242.tif 000005
【図４】
2008012242.tif 000006
【図５】
2008012242.tif 000007
【図６】
2008012242.tif 000008